(57)【特許請求の範囲】
【請求項１】
ドアとドア枠のいずれか一方にドアクローザが取り付けられ、他方にガイドレールが取り付けられ、ガイドレールに移動部材が取り付けられ、移動部材とドアクローザの出力軸とが伝動アームで連結された自動閉扉装置において、伝動アームがドアとドア枠との隙間の大きさの変化に追従して屈曲するように複数片に分割され、複数片間が枢軸で結合されたことを特徴とする自動閉扉装置。
【発明の詳細な説明】
【０００１】
【発明の属する技術分野】
本発明は、自動閉扉装置に関する。
【０００２】
【従来の技術】
特開平８−３２６４０７号公報が開示する自動閉扉装置は、ドアとドア枠の一方にドアクローザが取り付けられ、他方にガイドレールが取り付けられ、ガイドレールにスライダが取り付けられ、スライダとドアクローザの出力軸とが伝動アームで連結された構造となっている。この自動閉扉装置において扉に手を掛けて開くと、スライダがガイドレールの溝内を一方向にスライドし、これに伴う伝動アームの回動によってドアクローザが閉扉力を蓄える。また、扉を解放すると、ドアクローザに蓄えられた閉扉力が伝動アームを介してスライダに緩やかに伝達され、スライダがガイドレール内を滑ることにより扉が自動的に閉じる。
【０００３】
【発明が解決しようとする課題】
ドアとドア枠との隙間が建物の経年変化、地震等により変化すると、スライダがガイドレール内で滑り難くなり、扉の開閉の円滑性が損なわれる場合がある。そこで、従来はスライダをガイドレール内に溝の深さ方向で移動可能に挿入し、伝動アームに固定された連結ピンをスライダのクリアランス孔に挿入し、伝動アームをスライダ側に引き寄せるよう作用するスプリングを連結ピンとスライダとの間に設けている。上記ドアとドア枠との隙間が広がると、スライダがガイドレールの溝内を伝動アーム側に平行移動し、連結ピンがスプリングの付勢力に抗してスライダ上を伝動アーム側にスライドすることで、伝動アームの変形を防止する。また、上記ドアとドア枠との隙間が狭まると、スライダがガイドレールの溝内を反伝動アーム側に移動し、連結ピンがスプリングの付勢力によってスライダ上を反伝動アーム側にスライドすることで、伝動アームをドア枠側に引き上げてドアへの接触を防止する。
【０００４】
ところが、従来のようにスライダをガイドレール内で溝の深さ方向に移動可能にし、連結ピンをスライダに対して移動可能にすると、扉の開閉に伴い伝導アーム、スライダ等にガタツキを生じやすい。また、ガイドレールの溝を深く形成したり、ガイドレール内でスライダと連結ピンとの間にスプリングを配置したりするので、構造が大型化、複雑化するという問題がある。
【０００５】
本発明は、このような諸問題点を解決することができる自動閉扉装置を提供することを目的とする。
【０００６】
【課題を解決するための手段】
上述した課題を解決するために、請求項１の発明は、ドア（１）とドア枠（２）のいずれか一方にドアクローザ（４）が取り付けられ、他方にガイドレール（７）が取り付けられ、ガイドレール（７）に移動部材（９）が取り付けられ、移動部材（９）とドアクローザ（４）の出力軸（４ｂ）とが伝動アーム（１０）で連結された自動閉扉装置において、伝動アーム（１０，１５）がドア（１）とドア枠（２）との隙間（Ｃ）の大きさの変化に追従して屈曲するように複数片（１０ａ，１０ｂ，１５ａ，１５ｂ，１５ｃ）に分割され、複数片（１０ａ，１０ｂ，１５ａ，１５ｂ，１５ｃ）間が枢軸（１１，１１ａ，１１ｂ）で結合された自動閉扉装置を採用する。
【０００７】
【発明の実施の形態】
以下、本発明の実施の形態について添付図面を参照して詳述する。
【０００８】
＜実施の形態１＞
図１及び図２に示すように、ドア１はドア枠２にピボットヒンジ３ａ，３ｂ及びピボット軸３ｃを介して取り付けられる。図１及び図２ではドア１は閉まった状態にあり、図２中矢印Ａ方向にドア１を押し又は引くことによりドア１を開けることができる。
【０００９】
ドア１は図１乃至図３に示す自動閉扉装置を備え、この自動閉扉装置により自動的に閉まるようになっている。
【００１０】
自動閉扉装置は、ドアクローザ４を有し、図１及び図３に示すように、このドアクローザ４がドア１の上部に支持板５及び固定ネジ６により固定される。ドアクローザ４は例えばコンシールドドアクローザであり、そのハウジング４ａの全体がドア１の肉厚内に水平に埋設される。ドアクローザ４はハウジング４ａから突出する出力軸４ｂを有し、この出力軸４ｂが支持板５をドア１上方へと貫通する。なお、ドアクローザ４は公知の構造を備えたものであるからその詳細な説明は省略する。
【００１１】
また、自動閉扉装置は、図１及び図３に示すように、ガイドレール７を有し、このガイドレール７がドア枠２の上枠２ａ内に埋設され、取付ネジ８により固定される。ガイドレール７は下向きに開口する溝７ａを有し、この溝７ａが閉扉状態のドア１の上縁に沿うように伸びる。
【００１２】
ガイドレール７の溝７ａ内には、図１乃至図３に示すように、移動部材であるスライダ９が挿入される。スライダ９はガイドレール７下に落下しないよう溝７ａ内に抱持される。スライダ９における溝７ａの長さ方向に沿った側面は溝７ａの深さ方向に湾曲する湾曲面９ａとして形成される。
【００１３】
図１乃至図４に示すように、スライダ９とドアクローザ４の出力軸４ｂとは伝動アーム１０で連結される。ドア１を開けると、伝動アーム１０が出力軸４ｂを支点に回動し、スライダ９がガイドレール７の溝７ａ内をスライドする。出力軸４ｂは伝動アーム１０の回動と共にハウジング４ａ上で回動し、これによりドアクローザ４はハウジング４ａ内に閉扉力を蓄積する。
【００１４】
また、伝動アーム１０は、閉扉状態においてドア１の上縁とドア枠２の上枠２ａの双方に沿うように伸び、その長さ方向で二つのアーム片１０ａ，１０ｂに分割され、アーム片１０ａ，１０ｂ間が枢軸１１で結合される。各アーム片１０ａ，１０ｂからは継手片１２ａ，１２ｂが突出し、継手片１２ａ，１２ｂ間が伝動アーム１０の長さ方向に直角に且つ水平に伸びる枢軸１１により連結される。そして、一方のアーム片１０ａの端がドアクローザ４の出力軸４ｂに共回り可能に固定され、他方のアーム片１０ｂの端がスライダ９に垂直に伸びる枢ピン１３で連結される。これにより、図１に示すドア１の上縁とドア枠２の上枠２ａとの隙間Ｃの大きさが建物の経年変化、地震等により変化すると、図４（Ａ）、図５及び図６に示すように、この隙間Ｃの変化に追従して屈曲する。図５は隙間Ｃが広がってＣ1になった場合を示し、図１の場合に比べスライダ９側のアーム片１０ｂは枢軸１１を支点にして上方に大きく傾斜する。また、図６は隙間Ｃが狭まってＣ2になった場合を示し、図１の場合に比べスライダ９側のアーム片１０ｂは枢軸１１を支点にして下方に傾斜して勾配が緩やかになり水平位置に接近する。
【００１５】
なお、図４（Ｂ）に示すように、移動部材を上記スライダ９に代えて中高のローラ１４として構成すると、アーム片１０ｂの傾斜に伴い移動部材がガイドレール７の溝７ａ内で傾斜しても、ドア１の開閉に伴う移動部材のガイドレール７における溝７ａ内でのスライドがより円滑化される。
【００１６】
次に、上述した自動閉扉装置の作用を説明する。
【００１７】
ドア１に手を掛けて開くと、スライダ９がガイドレール７の溝７ａ内を一方向にスライドし、これに伴う伝動アーム１０の回動によってドアクローザ４の出力軸４ｂが回転する。出力軸４ｂの回転によりドアクローザ４はハウジング４ａ内に閉扉力を蓄える。また、ドア１を解放すると、ドアクローザ４は蓄えた閉扉力を出力軸４ｂから緩やかに放出し、その出力は伝動アーム１０を介してスライダ９に緩やかに伝達される。スライダ９はガイドレール７の溝７ａ内を逆向きに滑り、これに伴いドア１は自動的に閉じる。
【００１８】
また、図１に示すドア１の上縁とドア枠２の上枠２ａとの隙間Ｃが建物の経年変化、地震等により広がって図５に示すように隙間Ｃ1に変化すると、この隙間の変化に追従して伝動アーム１０が枢軸１１を支点に屈曲し、スライダ９側のアーム片１０ｂが更に上向きに傾斜する。この場合ドア１の開閉に伴って伝動アーム１０は上下方向に屈曲した状態のまま出力軸４ｂと一体で回動し、スライダ９はガイドレール７の溝７ａ内を円滑にスライドする。
【００１９】
図１に示すドア１の上縁とドア枠２の上枠２ａとの隙間Ｃが建物の経年変化、地震等により狭まって図６に示すように隙間Ｃ2に変化すると、この隙間の変化に追従して伝動アーム１０が枢軸１１を支点に逆方向に屈曲し、スライダ９側のアーム片１０ｂがドア１の上縁に接近する。この場合もドア１の開閉に伴って伝動アーム１０は上下方向に緩やかに屈曲した状態のまま出力軸４ｂと一体で回動し、スライダ９はガイドレール７の溝７ａ内を円滑にスライドする。
【００２０】
＜実施の形態２＞
図７に示すように、この実施の形態２における自動閉扉装置では、実施の形態１の場合と異なり、ドアクローザ４がドア枠２の上枠２ａ内に埋設され、ガイドレール７がドア１の上部に埋設される。ドアクローザ４からは出力軸４ｂが下向きに突出し、スライダ９からは枢ピン１３が上向きに突出する。伝動アーム１０の両端はそれぞれ出力軸４ｂと枢ピン１３に連結される。
【００２１】
なお、実施の形態１の場合と同じ部分については同一の符号を付して示すこととし詳細な説明は省略する。
【００２２】
＜実施の形態３＞
図８及び図９に示すように、この実施の形態３における自動閉扉装置では、実施の形態１の場合と異なり、伝動アーム１５がその長さ方向で三つのアーム片１５ａ，１５ｂ，１５ｃに分割され、アーム片１５ａ，１５ｂ，１５ｃ間がそれぞれ枢軸１１ａ，１１ｂで結合される。図示しないが、実施の形態１の場合と同様な要領で両側のアーム片１５ａ，１５ｃから中央のアーム片１５ｂに向かって継手片が突出し、継手片間が伝動アーム１５の長さ方向に直角に且つ水平に伸びる枢軸１１ａ，１１ｂによりそれぞれ連結される。そして、片方のアーム片１５ａの端がドアクローザ４の出力軸４ｂに共回り可能に固定され、他の片方のアーム片１５ｃの端がスライダ９に垂直に伸びる枢ピン１３で連結され、中央のアーム片１５ｂが両側のアーム片１５ａ，１５ｃ間で傾斜する。中央のアーム片１５ｂが介在するので、ドア１とドア枠２との隙間Ｃが変化しても図９に示すように片方のアーム片１５ａと他の片方のアーム片１５ｃ及びスライダ９は水平状態を保持し、このためスライダ９はガイドレール７の溝７ａ内を円滑にスライドする。
【００２３】
【発明の効果】
請求項１の発明によれば、ドアとドア枠のいずれか一方にドアクローザが取り付けられ、他方にガイドレールが取り付けられ、ガイドレールに移動部材が取り付けられ、移動部材とドアクローザの出力軸とが伝動アームで連結された自動閉扉装置において、伝動アームがドアとドア枠との隙間の大きさの変化に追従して屈曲するように複数片に分割され、複数片間が枢軸で結合された自動閉扉装置であるから、ドアとドア枠との隙間が建物の経年変化、地震等により変化しても、この隙間の大きさの変化に追従して伝動アームが屈曲する。従って、移動部材がガイドレールに沿って円滑に移動することとなり、扉の開閉の円滑性が維持される。また、移動部材と伝動アームとは直結し、移動部材をガイドレール内でガイド方向と直交方向に移動可能にする必要がないので、自動閉扉装置を小型化、軽量化することができる。
【図面の簡単な説明】
【図１】本発明の実施の形態１に係る自動閉扉装置を示す部分正面図である。
【図２】図１に示す自動閉扉装置の平面図である。
【図３】図１に示す自動閉扉装置の左側面図である。
【図４】図１に示す伝動アーム及びスライダの正面図である。
【図５】自動閉扉装置をドアとドア枠との隙間が広がった状態で示す図１と同様な部分正面図である。
【図６】自動閉扉装置をドアとドア枠との隙間が狭まった状態で示す図１と同様な部分正面図である。
【図７】本発明の実施の形態２に係る自動閉扉装置を示す部分正面図である。
【図８】本発明の実施の形態３に係る自動閉扉装置を示す部分正面図である。
【図９】図８に示す伝動アーム及びスライダの正面図である。
【符号の説明】
１…ドア
２…ドア枠
４…ドアクローザ
４ｂ…出力軸
７…ガイドレール
９…スライダ
１０，１５…伝動アーム
１０ａ，１０ｂ，１５ａ，１５ｂ，１５ｃ…アーム片
１１，１１ａ，１１ｂ…枢軸
Ｃ…隙間
【図１】
0003679785.tif 000002
【図２】
0003679785.tif 000003
【図３】
0003679785.tif 000004
【図４】
0003679785.tif 000005
【図５】
0003679785.tif 000006
【図６】
0003679785.tif 000007
【図７】
0003679785.tif 000008
【図８】
0003679785.tif 000009
【図９】
0003679785.tif 000010